(57)【要約】【課題】本発明はランニング等に使用される靴底であって、着地の衝撃を緩和し、軽量で靴底接地底部が片減りしない靴底を提供する。【解決手段】アウトソールとミッドソールとから成る２層靴底において、走行時の平均的な重心の作用点軌跡の要所である踵部及び踵部から踏付け部に架けて外側寄りに耐摩耗性ゴムを配置し、該耐摩耗性ゴムの外側端部をカットして丸みを付けることにより、着地の際の摩耗を減らし、衝撃を和らげ安定した快適な走行性を有し、耐久性のある靴を提供する。【選択図】      図２
2004201885.tif 000002
【特許請求の範囲】
【請求項１】
外踵接地底部及び外側接地底部の底部品とミッドソールとからなる２層靴底において、走行時の平均的な重心の作用点起点の要所である前記外踵接地底部及び外側接地底部は、耐摩耗性のゴム等の合成樹脂であり、且つ前記外踵接地底部及び外側接地底部の角度が、接地角度と等しくなるように、靴底の外踵部から外踏付部付近までの範囲に、靴底の外側縁から内側に約６ｍｍの個所より外側方向に、地面に対し約６度の角度で、靴底の外側縁を切欠し緩やかな丸みを形成したことを特徴とするランニングシューズの靴底。
【請求項２】
前記外踵接地底部及び外側接地底部以外の底部品が、ゴム等の合成樹脂発泡体であることを特徴とする請求項１に記載のランニングシューズの靴底。
【発明の詳細な説明】
【０００１】
【発明の属する技術分野】
本発明は、ランニングやジョギングに適したシューズの靴底に関するものである。
【０００２】
【従来の技術】
現在ランニングシューズとして各種の特性を重視したシューズがある。例えば耐衝撃性を重視したシューズ(例えば、特許文献１参照)や、平均的な重心の作用点軌跡を中心にして踏付部から爪先部に至る範囲に耐摩耗性のゴムを埋設し、走行時の安定性とグリップ力を増したシューズ(例えば、特許文献２参照)がある。又、踵部のヒールカットにより着地時の負荷を低減し、疾走エネルギーのロスを少なくしたシューズ(例えば、特許文献３参照)や、踝の保護を重視し、素足の動きに合わせ、靴底の外側は足の形状に合わせて丸みを持たせ、足を包むような構造としたシューズ(例えば、特許文献４参照)。
しかし、これらのシューズはいずれもランニングによる靴底の摩耗に対しては格別配慮されていない。
【０００３】
（特許文献１）  特開Ｈ１０−５７１０２号公報（明細書  要約）
（特許文献２）  特開２００１−３４６６０５号公報（明細書  要約）
（特許文献３）  特開Ｈ８−２８０４０４号公報（明細書  要約）
（特許文献４）  特開２００２−１０１９０５号公報（明細書  要約）
【０００４】
【発明が解決しようとする課題】
各種特性機能に関してはそれぞれ特色ある靴が提供されているが、長期間ランニングを行った場合、靴底の外側接地底部の摩耗が激しく、靴の寿命を短くしている。又、摩耗により靴底が変形し、走行時に不安定となり足関節に無理な動きを強いられている。
走行では歩幅が大きく、足がほぼ一直線上を移動するので、骨格上、足のより外側部で接地が行われる。歩行と比べ、接地が靴底中心線より外側寄りで行なわれるのが走行動作のひとつの特徴である。又、速度や個人差により外踵部から外踏付部迄の幅広い範囲で接地が行われる。
走行時、着地動作において、靴底は大きな負荷を受ける。一般的に走行では、着地の際、体重の２〜３倍の負荷を受けると言われている。しかも負荷は踵から踏付部へ連続して受ける。
【０００５】
従来のランニングシューズでは、踵部にヒールカットは施されているが、外踵部から外踏付部までの範囲の接地底部については、立脚時に地面と水平になるよう設計されており、その外端は角が立った状態になっているものが大半である。この場合、接地が線で行われるため、非常に不安定となる。
さらに、靴底の平面形状がブロック状に配置されているものもみかけるが、この場合、接地が点で行われるため、非常に不安定となる。
又、耐摩耗性のゴムを踵部のみに配置したものが多いが、ランニングシューズとして踵以外の摩耗がひどい。特に、外踵部から外踏付部までの範囲の接地底部において、着地の衝撃による摩耗が大きい。
本発明は、走行時の靴底の摩耗と着地の衝撃を軽減し、長期間のランニングが快適に行なえる耐久性の有る靴底を提供するものである。
【０００６】
多くの時速１６ｋｍ程度でランニングする人より、走行時の足の動き、及び靴底の負荷の状況等を調査した。各時速１６ｋｍ程度でランニングする人の重心の作用点軌跡代表例を図１に示す。図１より、時速１６ｋｍ程度でランニングする人は、走行における接地点により、３タイプに分類される。リアフットストライカー（図１中のＡ）及びミッドフットストライカー（図１中のＢ）及びフォアフットストライカー（図１中のＣ）の３タイプに分類される。図中に示す重心の作用点の起点（図１中の矢印で表示）が各時速１６ｋｍ程度でランニングする人の接地点であり、ランニングする人の特性により、外踵部から外踏付部までの幅広い範囲で接地が行われる。走行における接地点は、靴底の長手方向の靴底中心線において、フォアフットストライカーは靴底全長の踵端より６０％付近であり、ミッドフットストライカーは靴底全長の踵端より４１％付近であり、リアフットストライカーは踵靴底全長の踵端より１１％付近である。しかし、時速７〜１０ｋｍ等程度の歩行に近い低速で走行すると、走行における接地点は、靴底の長手方向の靴底中心線において、靴底全長の踵端より５％付近である。接地する場所が、走行時靴底の摩耗が最も激しい部分である。
よって、全てのランニングする人が満足する為に、走行時の平均的な重心の作用点起点の要所は、靴底中心線の靴底全長の踵端より１％付近から靴底中心線の靴底全長の踵端より６５％付近までの靴底の外側縁部分である。
【０００７】
走行時、接地の瞬間には、足の内転及び足関節の内反が起こっている。従って、走行において、靴は地面に対し通常約６度〜１２度の角度で外側から接地する。接地のポイントである靴底底面の外側部形状を、走行時の自然な運動に則したものにすれば安定性及び効率性が得られる。
【０００８】
走行時の足と靴底の関係において走行エネルギーをロスせしめる。踵部及び外踵部から外踏付部までの範囲の接地底部の靴底カットがない場合、足関節周囲の筋群に大きなストレスが加わる。
踵部及び外踵部から外踏付部までの範囲の接地底部のカット角度を接地角度と同等にすることにより、足関節周囲の筋群へのストレスを軽減し靴底の接地衝撃が分散される。
【０００９】
【課題を解決するための手段】
底部品とミッドソールとからなる２層靴底において、走行時の靴底の摩耗と着地の衝撃を軽減し、長期間のランニングが快適に行なえる耐久性の有る靴とするには、外踵接地底部及び外側接地底部の底部品とミッドソールとからなる２層靴底において、走行時の平均的な重心の作用点起点の要所である前記外踵接地底部及び外側接地底部は、耐摩耗性のゴム等の合成樹脂であり、且つ前記外踵接地底部及び外側接地底部の角度が、接地角度と等しくなるように、靴底の外踵部から外踏付部付近までの範囲に、靴底の外側縁から内側に約６ｍｍの個所より外側方向に、地面に対し約６度の角度で、靴底の外側縁を切欠し緩やかな丸みを形成した靴底を特徴とする。
【００１０】
さらに、前記外踵接地底部及び外側接地底部以外の底部品が、ゴム等の合成樹脂発泡体であることを特徴とする。
【００１１】
前記外踵接地底部及び外側接地底部の角度が接地角度と等しくなるように、靴底の外踵部から外踏付部付近までの範囲に、靴底の外側縁から内側に３〜１０ｍｍの個所より外側方向に、地面に対し６〜９度の角度で、靴底の外側縁を切欠し緩やかな丸みを形成する。好ましくは、靴底の外側縁から内側に３〜６ｍｍの個所より外側方向に、地面に対し６〜７度の角度で、靴底の外側縁を切欠し緩やかな丸みを形成する。靴底の切欠は、外踵接地底部及び外側接地底部の底部品を切欠することが簡単に製作可能であるが、ミッドソールを切欠しても、底部品及びミッドソールの両方を切欠して形成しても良い。
【００１２】
図１のように、靴底の外踏付部付近の位置は、靴底の長手方向の靴底中心線において、靴底全長の踵端より６５％付近に直角の線が靴底の外側縁に交わった所である。靴底の外踵部から外踏付部付近までの範囲とは、全てのランニングする人が満足するように、靴底中心線の靴底全長の踵端より１％付近から靴底中心線の靴底全長の踵端より６５％付近までの靴底の外側縁のことである。
【００１３】
接地底部に丸みがついたことで、接地が面で行われる。適所に配された衝撃吸収体の効果も加え、接地の衝撃が緩和されると共に安定性も増し、蹴り出しに関与するエネルギーロスが減少し、効率良く走行することが出来る。
摩耗しやすい範囲に適切に耐摩耗ゴムを配することで、アウトソールの耐久性が上がる。接地底部に丸みがついた事及び衝撃吸収体を適所に配した事も耐摩耗性の向上に効率が良い。
【００１４】
【発明の実施の形態】
本発明の外踵接地底部６及び外側接地底部７の底部品には、耐摩耗性の良好なエラストマーが使用される。好ましいエラストマーとしては、天然ゴム、合成ゴム、ウレタンまたは合成樹脂が使用される。通常スチレン−ブタジエンゴムのようなエラストマーやポリウレタン樹脂があり、充実体からなる。耐摩耗性の程度としては、履用頻度にもよるが、ウォーキングやランニングを想定した場合、ＪＩＳ  Ｋ６２６４の加硫ゴムの摩耗試験方法（研磨紙はＪＩＳ  Ｒ６２５２に規定するＡＡ−２４０を使用）により、ペーパーウイリアムス摩耗測定時の摩耗容積が２０ＣＣ／ＨＰ・ｈｒ以下であれば実用上十分である。耐摩耗性のゴム部片の厚みは、３〜５ｍｍが使用される。好ましくは厚み４ｍｍである。
【００１５】
図２より、外踵接地底部６及び外側接地底部７以外の部品である内踵接地底部８、内踏付接地底部９と外爪先接地底部１０の底部品には、軽量かつ、耐摩耗性に優れたエラストマー発泡体が使用される。好ましいエラストマーとしては、天然ゴム、合成ゴム、ウレタンまたは合成樹脂が使用される。エラストマー発泡体は、比重が０．６〜０．７ｇ／ｃｃで、ＪＩＳ  Ｋ６２６４の加硫ゴムの摩耗試験方法（研磨紙はＪＩＳ  Ｒ６２５２に規定するＡＡ−２４０を使用）により、ペーパーウィリアム摩耗測定時の摩耗容積が１５０ＣＣ／ＨＰ・ｈｒ以下であれば実用上十分である。
【００１６】
他方ミッドソール１としてはシューズの衝撃緩和性に優れた靴底材料として、例えばＥＶＡスポンジが使用される。さらに、ミッドソール１の踵部後端から外踵部を経由して外踏付部付近までの範囲、又は踵部後端から外踵部である靴底の長手方向の靴底中心線において靴底全長の踵端より３０％付近までの範囲に、ミッドソール１の外側縁から内側に約２０ｍｍの幅で、厚み約５ｍｍの衝撃吸収スポンジ体を部分的に挿入設置する方が好ましい。
従って、底部品及びミッドソール１に使用する靴底材料、硬度、厚みについては履用目的により適宜採択される。
【００１７】
【実施例１】
〔靴底の作成〕
ミッドソール１には、比重０．３５，硬さ（ＪＩＳ  Ｋ６２５３のＥタイプ）６０度のＥＶＡスポンジを使用した。靴底の外踵接地底部６の踵部後端のヒールカットも、踵の接地角度と等しくなるように形成した。靴底の外踵接地底部６と外側接地底部７では、靴底の外踵部から外踏付部付近までの範囲に、靴底の外側縁から内側に４ｍｍ、又は６ｍｍの個所より、外側方向に地面に対し約６度の角度で、靴底の外側縁を切欠し緩やかな丸みを形成した。ミッドソール１を切欠したり、又は外踵接地底部６と外側接地底部７の底部品を切欠し、中央の厚みが４ｍｍで外側縁の厚みが２ｍｍに形成した。外側接地底部７の底部品のみを切欠することもあった。
靴底の外踵接地底部６と外側接地底部７には、厚み４ｍｍの耐摩耗性の硬さ(ＪＩＳ  Ｋ６２５３のＡタイプ)６０〜７５度の弾性を有するゴム底部品を準備した。このゴム部片はペーパーウイリアムス摩耗測定時における摩耗容積が１３ＣＣ／ＨＰ・ｈｒであった。
又、前記外踵接地底部６と外側接地底部７以外の部品である内踵接地底部８、内踏付接地底部９と外爪先接地底部１０の底部品には、比重０．６５，硬さ（ＪＩＳＣＫ６２５３のＥタイプ）７０度のスチレン−ブタジエンゴムのようなエラストマーの発泡体を使用した。このゴム部片はペーパーウイリアムス摩耗測定時における摩耗容積が１２０ＣＣ／ＨＰ・ｈｒであった。
【００１８】
前記耐摩耗性の底部品を、前記ミッドソール１の外踵接地底部６及び外側接地底部７の所定の位置に、又、前記エラストマーの発泡体の底部品を、前記ミッドソール１の内踵接地底部８、内踏付接地底部９と外爪先接地底部１０の所定の位置に、接着プレスして図２のような靴底２を得た。
【００１９】
〔靴の作成〕
靴甲被４を準備し、ラスト下面に中底材を仮止めし、前記靴甲被４をラストに吊り込み後、ヒートセットし、靴甲被下面に、接着剤を塗布し、前記靴底５を底付けプレスし、仕上げ後、ラストを型抜きし、図２、図３に示す靴を得た。
この靴は、非常に軽量な靴で見栄えの良いものであり、この靴を半年以上ランニングに履用したところ、軽くて履き心地が良く、着地の衝撃が少なく、そのため足関節の痛みも無く、片減りのしない耐久性のある靴であった。
【００２０】
【発明の効果】
踵部及び踵部から踏付部に架けて外側寄りに耐摩耗性ゴムを配置し、該耐摩耗性ゴムの外側端部をカットして丸みを付けることにより、着地の際の摩耗を減らし、衝撃を和らげ安定した快適な走行性を有し、耐久性のある靴を提供することができる。
【図面の簡単な説明】
【図１】各々のランニングする人の重心の作用点軌跡図。
【図２】本発明のランニングシューズ靴底の底面図。
【図３】本発明のランニングシューズ靴底のＡ−Ａ断面図。
【符号の説明】
１．  ミッドソール
２．  靴底
３．  靴甲被
４．  重心の作用点軌跡
５．  靴底中心線
６．  外踵接地底部
７．  外側接地底部
８．  内踵接地底部
９．  内踏付接地底部
１０．外爪先接地底部
【図１】
2004201885.tif 000003
【図２】
2004201885.tif 000004
【図３】
2004201885.tif 000005